(57)【特許請求の範囲】
【請求項１】
電源部と、その電源部からの電力供給により検知対象を検知する検知部とを備えた機器本体に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＮ姿勢が、前記機器本体に対する規定外操作を害する姿勢に設定され、
前記機器本体には、前記機器本体の内部に空気を流入させる流入口が備えられ、
前記検知部は、前記機器本体の内部に流入させる空気から検知対象を検知し、
前記電源部と前記検知部とが、前記機器本体に備えられたケースに内蔵され、このケースの外面部には、ケース内部に通じる開口部が設けられているとともに、前記切替操作体の前記ＯＮ姿勢が、前記規定外操作として前記電源部又は前記検知部に対する前記開口部を通じての操作を害する姿勢に設定され、
前記開口部を閉塞する蓋部が設けられているとともに、前記切替操作体の前記ＯＮ姿勢が、前記流入口を覆うことなく、前記切換操作体にて前記蓋部の一部を覆うことで、前記開口部からの前記蓋部の移動を制限する姿勢に設定され、前記切替操作体の前記ＯＦＦ姿勢が、前記切替操作体にて前記蓋部を覆わずに、前記開口部からの前記蓋部の移動を許容する姿勢に設定されている検知器。
【請求項２】
前記開口部が、前記電源部を交換するための電源交換口である請求項１に記載の検知器。
【請求項３】
電源部と、その電源部からの電力供給により検知対象を検知する検知部とを備えた機器本体に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＮ姿勢が、前記機器本体に対する規定外操作を害する姿勢に設定され、
前記電源部と前記検知部とが、前記機器本体に備えられたケースに内蔵され、このケースの外面部には、ケース内部に通じる開口部が設けられているとともに、前記切替操作体の前記ＯＮ姿勢が、前記規定外操作として前記電源部又は前記検知部に対する前記開口部を通じての操作を害する姿勢に設定され、
前記切替操作体は、前記機器本体の上下方向の一方側に延長させた形状に形成され、
前記開口部を閉塞する蓋部が設けられているとともに、前記切替操作体の前記ＯＮ姿勢は、前記切替操作体が前記機器本体の上下方向で前記開口部が存在する側に延びる姿勢となり、前記蓋部の一部を覆う姿勢に設定され、前記切替操作体の前記ＯＦＦ姿勢は、前記切替操作体が前記機器本体の上下方向で前記開口部が存在しない側に延びる姿勢となり、
前記蓋部を覆わない姿勢に設定されている検知器。
【請求項４】
電源部と、その電源部からの電力供給により検知対象を検知する検知部とを備えた機器本体に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＮ姿勢が、前記機器本体に対する規定外操作を害する姿勢に設定され、
前記機器本体には、前記機器本体の内部に空気を流入させる流入口が備えられ、
前記検知部は、前記機器本体の内部に流入させる空気から検知対象を検知し、
前記電源部と前記検知部とが、前記機器本体に備えられたケースに内蔵され、前記切替操作体の前記ＯＦＦ姿勢が、前記流入口の一部を覆うことで、前記電力供給状態がＯＮ状態時に実行される前記機器本体の機能に影響を与える姿勢に設定されている検知器。
【発明の詳細な説明】
【技術分野】
【０００１】
本発明は、電源部からの電力供給により検知対象を検知する検知部を備えた検知器に関する。
【背景技術】
【０００２】
上記検知器は、例えば、火災により発生する煙や温度上昇、不完全燃焼により発生するＣＯガス、都市ガス等のガス漏れにより発生する漏洩ガス等を検知対象とし、その検知対象の状況に応じた警報を行う警報器として用いられている。この検知器では、例えば、電源部として電池が備えられ、その電池から検知部への電力供給状態をＯＮ状態とＯＦＦ状態とに切り替えるための切替操作体（電源スイッチ）が備えられている（例えば、特許文献１参照。）。
【０００３】
そして、切替操作体をＯＮ姿勢とすることで、電池から検知部への電力供給状態をＯＮ状態とし、検知部にて検知対象を検知する検知動作を行い、切替操作体をＯＦＦ姿勢とすることで、電池から検知部への電力供給状態をＯＦＦ状態として、検知動作を停止している。
【先行技術文献】
【特許文献】
【０００４】
【特許文献１】特開２００８−２８７３８２号公報
【発明の概要】
【発明が解決しようとする課題】
【０００５】
上記検知器では、例えば、出荷時等の使用前に、切替操作体をＯＦＦ姿勢とし、電源部から検知部への電力供給状態をＯＦＦ状態としておくことで、電源部（電池）の消耗を抑制している。そして、検知器を使用する際に、切替操作体をＯＦＦ姿勢からＯＮ姿勢に切り替えることで、電力供給状態をＯＮ状態として検知動作を行っている。
【０００６】
しかしながら、検知器の使用中に、機器本体に対して何らかの誤った操作等、想定外の操作が行われると、検知器を適切に使用できなくなる可能性がある。よって、検知器の使用中に、想定外の操作が行われないような対処を施すことが望まれている。
【０００７】
この実情に鑑み、本発明の主たる課題は、機器の使用中に、機器本体に対して誤った操作等の想定外の操作が行われるのを防止できる検知器を提供する点にある。
【課題を解決するための手段】
【０００８】
本発明の第１特徴構成は、電源部と、その電源部からの電力供給により検知対象を検知する検知部とを備えた機器本体に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＮ姿勢が、前記機器本体に対する規定外操作を害する姿勢に設定され、
前記機器本体には、前記機器本体の内部に空気を流入させる流入口が備えられ、
前記検知部は、前記機器本体の内部に流入させる空気から検知対象を検知し、
前記電源部と前記検知部とが、前記機器本体に備えられたケースに内蔵され、このケースの外面部には、ケース内部に通じる開口部が設けられているとともに、前記切替操作体の前記ＯＮ姿勢が、前記規定外操作として前記電源部又は前記検知部に対する前記開口部を通じての操作を害する姿勢に設定され、
前記開口部を閉塞する蓋部が設けられているとともに、前記切替操作体の前記ＯＮ姿勢が、前記流入口を覆うことなく、前記切換操作体にて前記蓋部の一部を覆うことで、前記開口部からの前記蓋部の移動を制限する姿勢に設定され、前記切替操作体の前記ＯＦＦ姿勢が、前記切替操作体にて前記蓋部を覆わずに、前記開口部からの前記蓋部の移動を許容する姿勢に設定されている点にある。
【０００９】
本特徴構成によれば、切替操作体がＯＮ姿勢であるときに、機器本体に対する規定外操作が害されているので、切替操作体がＯＮ姿勢となり、電力供給状態をＯＮ状態とした検知器の使用中に、使用者等が何らかの操作を行う際に、その操作が機器本体に対する本来の操作とは異なる規定外操作であると、その規定外操作を行い難くなる。よって、使用者等は、違和感を感じて、その操作が想定外の操作であることを認識できるので、機器本体に対して想定外の操作が行われるのを防止できる。
【００１１】
本特徴構成によれば、開口部を通じて電源部又は検知部に対する操作を行うことができるので、電源部又は検知部に対するメンテナンス作業等の各種の作業を行える。しかしながら、検知器の使用中に、開口部を通じて電源部又は検知部に対する操作が行われると、例えば、電源部から検知部への電力供給に悪影響が生じたり、検知部による検知対象の検知に悪影響が生じる可能性がある。そこで、検知器の使用中には、電源部又は検知部に対する開口部を通じての操作を規定外操作とし、切替操作体がＯＮ姿勢であるときに、その規定外操作が行われるのを防止できる。
【００１３】
本特徴構成によれば、切替操作体がＯＮ姿勢であるときに、開口部からの蓋部の移動を制限するので、開口部から蓋を取り外し難く、使用者等に明確な違和感を与えることができ、電源部又は検知部に対する開口部を通じての操作が行われるのを確実に防止できる。
【００１４】
本発明の第２特徴構成は、前記開口部が、前記電源部を交換するための電源交換口である点にある。
【００１５】
本特徴構成によれば、電源交換口を通じて電源部を交換できるので、電源部の消耗や劣化等が生じても、電源交換口を通じて電源部を交換する作業を行うだけでよく、電源部のメンテナンス作業を行い易い。しかしながら、検知器の使用中に、電源部が外されると、
電源部から検知部への電力供給が行えず、検知部による検知動作を行えない。そこで、切替操作体がＯＮ姿勢のときに、電源部に対する電源交換口を通じての操作を害することで、検知部による検知動作が行えない状況になるのを適切に防止できる。
本発明の第３特徴構成は、電源部と、その電源部からの電力供給により検知対象を検知する検知部とを備えた機器本体に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＮ姿勢が、前記機器本体に対する規定外操作を害する姿勢に設定され、
前記電源部と前記検知部とが、前記機器本体に備えられたケースに内蔵され、このケースの外面部には、ケース内部に通じる開口部が設けられているとともに、前記切替操作体の前記ＯＮ姿勢が、前記規定外操作として前記電源部又は前記検知部に対する前記開口部を通じての操作を害する姿勢に設定され、
前記切替操作体は、前記機器本体の上下方向の一方側に延長させた形状に形成され、
前記開口部を閉塞する蓋部が設けられているとともに、前記切替操作体の前記ＯＮ姿勢は、前記切替操作体が前記機器本体の上下方向で前記開口部が存在する側に延びる姿勢となり、前記蓋部の一部を覆う姿勢に設定され、前記切替操作体の前記ＯＦＦ姿勢は、前記切替操作体が前記機器本体の上下方向で前記開口部が存在しない側に延びる姿勢となり、
前記蓋部を覆わない姿勢に設定されている点にある。
本発明の第４特徴構成は、電源部と、その電源部からの電力供給により検知対象を検知する検知部とを備えた機器本体に、ＯＮ姿勢とＯＦＦ姿勢とに変更自在で、且つ、ＯＮ姿勢で前記電源部から前記検知部への電力供給状態をＯＮ状態にし、ＯＦＦ姿勢で前記電力供給状態をＯＦＦ状態にする切替操作体が設けられているとともに、前記切替操作体の前記ＯＮ姿勢が、前記機器本体に対する規定外操作を害する姿勢に設定され、
前記機器本体には、前記機器本体の内部に空気を流入させる流入口が備えられ、
前記検知部は、前記機器本体の内部に流入させる空気から検知対象を検知し、
前記電源部と前記検知部とが、前記機器本体に備えられたケースに内蔵され、前記切替操作体の前記ＯＦＦ姿勢が、前記流入口の一部を覆うことで、前記電力供給状態がＯＮ状態時に実行される前記機器本体の機能に影響を与える姿勢に設定されている点にある。
【図面の簡単な説明】
【００１６】
【図１】検知器の全体斜視図
【図２】検知器の分解斜視図
【図３】切替操作体がＯＮ姿勢のときの機器本体を示す斜視図
【図４】切替操作体がＯＦＦ姿勢のときの機器本体を示す斜視図
【図５】機器本体に対する切替操作体の姿勢変更を示す図
【発明を実施するための形態】
【００１７】
本発明に係る検知器の実施形態を図面に基づいて説明する。
この検知器は、図１及び図２に示すように、電源部２と、その電源部２からの電力供給により検知対象を検知する検知部３とを備えた機器本体１から構成されている。機器本体１は、後面部１ａと上下方向及び左右方向の四方の側面部を有し前方側を開放したケース７と、そのケース７の前方側を閉塞するカバー８とを備えており、その内部を中空空間とする直方体状に形成されている。電源部２及び検知部３は、機器本体１における内部の中空空間を収納箇所として、ケース７に内蔵されている。
【００１８】
機器本体１は、被取付面に対する取付部を機器本体１（ケース７）の後面部１ａとし、且つ、被取付面を室内の壁面２１として、室内の壁面２１に取付けられている。機器本体１の後面部１ａ（図３及び図４参照）が平らな面状に形成されていることから、平坦な壁面２１に平坦な機器本体１の後面部１ａを当て付け、機器本体１の姿勢が安定した姿勢で、室内の壁面２１に機器本体１が取付けられている。機器本体１は、その上部に壁掛け用の取付孔４が備えられた係止部５が突出する状態で備えられ、ビス等の固定具６を用いて取り付けられている。
【００１９】
図２に示すように、電源部２として電池が用いられており、この実施形態では、機器本体１（ケース７）の左上部に電池が内蔵される。機器本体１（ケース７）の側面部には、ケース内部に通じて電源部２（電池）の着脱を行うための電池交換口２２（電源交換口に相当する）が備えられ、その電池交換口２２を閉塞する蓋部２３が備えられている。蓋部２３には、機器本体１の内部に形成された被係合部に係合する鉤状の係合部２３ａが形成され、その後端部に溝状の引っ掛け部２３ｂ（図３及び図４参照）が形成されている。所望の装着位置に蓋部２３を嵌め込むことで、係合部２３ａが被係合部に係合されて機器本体１に蓋部２３を装着できる。機器本体１に装着された蓋部２３に対して、引っ掛け部２３ｂに指を引っ掛けて機器本体１の外方側に蓋部２３を移動させることで、係合部２３ａと被係合部との係合が解除されて、蓋部２３を取り外すことができる。
【００２０】
検知部３は、例えば、火災により発生する煙や温度上昇、不完全燃焼により発生するＣＯガス、都市ガス等のガス漏れにより発生する漏洩ガス等を検知対象としており、このような検知対象を検知できるものであれば、各種の検知部を適用でき、その検知部３の数も適宜変更できる。この実施形態では、検知部３として、例えば、煙を検知する第１検知部３ａとＣＯガスを検知する第２検知部３ｂの２つの検知部が備えられている。
【００２１】
検知部３は、機器本体１の外部から機器本体１の内部に流入させる空気から検知対象を検知しており、機器本体１の外面部には、その空気を機器本体１の内部に流入させる流入口９が備えられている。流入口９は、ケース７の後面部１ａを除く外面部（上下方向及び左右方向の四方の側面部の全て）に開口形成されており、機器本体１の側面部の全周に亘って空気を流入させている。流入口９は、横長の開口を機器本体１の周方向に複数並べた開口列を機器本体１の前後方向に複数並べて構成されている。この実施形態では、上側面部、右側面部及び下側面部に機器本体１の前後方向に並ぶ３列の開口列が配置され、左側面部に機器本体１の前後方向に並ぶ２列の開口列が配置されている。ちなみに、機器本体１の側面部には、流入口９よりも機器本体１の前方側等に、機器本体１の内方側に凹入させた横長の凹部２４が形成されている。
【００２２】
機器本体１には、図２に示すように、電源部２及び検知部３に加えて、検知部３の検知動作やその検知状況に応じた警報動作の制御、電源部２から検知部３への電力供給状態の切替制御等、各種の制御を行うための制御回路を有する基板１０と、音声等の警報や報知を行うスピーカ部１１と、電源のＯＮ／ＯＦＦや警報等の各種の表示を行う表示部１２（例えば、４つの表示部）と、スピーカ部１１や表示部１２による警報動作を停止させるための操作部１３とが備えられている。
【００２３】
機器本体１の側面部には、図２〜図４に示すように、ＯＮ姿勢とＯＦＦ姿勢とに姿勢変更自在な切替操作体１４が備えられ、機器本体１の内部には、図５に示すように、切替操作体１４の姿勢変更によって移動操作されて、電源部２から検知部３への電力供給状態をＯＮ状態とＯＦＦ状態に切り替える電力切替部１９が備えられている。
【００２４】
電力切替部１９は、図５に示すように、ＯＮ位置（図５において下方側の位置）とＯＦＦ位置（図５において上方側の位置）とに移動自在であり、ＯＮ位置にて電源部２から検知部３への電力供給状態をＯＮ状態とし、ＯＦＦ位置にて電源部２から検知部３への電力供給状態をＯＦＦ状態としている。切替操作体１４は、図３及び図４に示すように、機器本体１に対して着脱自在であり、且つ、機器本体１に対する装着姿勢がＯＮ姿勢とＯＦＦ姿勢とに変更自在に構成されている。切替操作体１４のＯＮ姿勢とＯＦＦ姿勢は、切替操作体１４を前後反転させて機器本体１に装着させた姿勢であり、図３に示すように、ＯＮ姿勢では切替操作体１４の前面側が機器本体１の前面側となる姿勢で装着され、図４に示すように、ＯＦＦ姿勢では切替操作体１４の後面側が機器本体１の前面側となる姿勢で装着されている。
【００２５】
図５に示すように、切替操作体１４をＯＮ姿勢とすることで、電力切替部１９をＯＮ位置に移動操作して、電源部２から検知部３への電力供給状態をＯＮ状態とし、検知部３での検知動作を行う。逆に、切替操作体１４をＯＦＦ姿勢とすることで、電力切替部１９をＯＦＦ位置に移動操作して、電源部２から検知部３への電力供給状態がＯＦＦ状態とし、検知部３での検知動作が停止される。図５では、電力切替部１９がＯＦＦ位置からＯＮ位置に移動操作される状態を左側に示し、電力切替部１９がＯＮ位置からＯＦＦ位置に移動操作される状態を右側に示している。
【００２６】
切替操作体１４は、機器本体１（ケース７）の後面部１ａに交差姿勢で連なる機器本体１（ケース７）の側面部（例えば、左側面部）に配置されている。切替操作体１４は、図３〜図５に示すように、機器本体１に装着された状態において、機器本体１の内部に挿入される挿入部１６と、機器本体１の前後方向に延びる姿勢で機器本体１の側面部に当接する当接壁部１７と、当接壁部１７から機器本体１の外方側に延びる摘み部１８とが備えられている。挿入部１６及び摘み部１８が機器本体１の上下方向に幅広で機器本体１の左右方向に延びる板状に形成され、挿入部１６及び摘み部１８と当接壁部１７とが交差する姿勢となっている。
【００２７】
機器本体１の側面部（例えば、左側面部）には、図２に示すように、切替操作体１４を装着する装着部１５が形成されている。装着部１５は、その周囲よりも機器本体１の内方側に凹入した凹状に形成され、切替操作体１４の挿入部１６が挿入される孔部を有している。装着部１５に切替操作体１４を嵌め込むことで、機器本体１に切替操作体１４を装着でき、装着部１５に装着された切替操作体１４を引っ張り出すことで、機器本体１から切替操作体１４を取り外すことができる。
【００２８】
図５に示すように、切替操作体１４における挿入部１６には、その横幅方向の中央部に鉤状の係合部１６ａが形成されている。挿入部１６が機器本体１の内部に挿入された状態で、係合部１６ａが機器本体１の内部に形成された被係合部（図示省略）に係合し、機器本体１に対する切替操作体１４の装着姿勢がＯＮ姿勢又はＯＦＦ姿勢に姿勢保持されている。係合部１６ａは、挿入部１６の横幅方向で中央部に配置されているので、切替操作体１４をＯＮ姿勢又はＯＦＦ姿勢に装着したときに、ガタツキが挿入部１６の横幅方向で均等になるようにしている。
【００２９】
挿入部１６には、電力切替部１９をＯＮ位置とＯＦＦ位置とに移動させる移動作用部１６ｂが備えられている。移動作用部１６ｂは、間隔を隔てて対向する一対の壁部１６ｃ，１６ｄを有する切欠溝部にて構成され、一対の壁部１６ｃ，１６ｄのうち、一方側の壁部１６ｃが機器本体１の外方側ほど対向する壁部１６ｄとの間隔を幅狭とする傾斜壁部にて形成されている。切替操作体１４の挿入部１６を機器本体１の内方側に移動させるに伴って、電力切替部１９が傾斜壁部１６ｃにて押圧案内されてＯＮ位置からＯＦＦ位置に（図５中右側参照）又はＯＦＦ位置からＯＮ位置（図５中左側参照）に移動する。
【００３０】
挿入部１６には、一対の壁部１６ｃ，１６ｄの間の中空部に連続して、傾斜壁部１６ｃの後方側（対向する壁部１６ｄとは離れる側）に延びる中空連続部１６ｅが形成されている。これにより、切替操作体１４をＯＮ姿勢又はＯＦＦ姿勢で装着する際に、電力切替部１９の寸法公差に対応して傾斜壁部１６ｃが撓み変形し、傾斜壁部１６ｃにて電力切替部１９を適切に押圧案内できる。
【００３１】
切替操作体１４における摘み部１８は、図３及び図４に示すように、当接壁部１７における上下方向の中央部から機器本体１の外方側に延びるように形成されている。そして、摘み部１８は、その外方側端部がＯＮ姿勢の状態では前方側（ＯＦＦ姿勢の状態では後方側）に折り曲げられており、この折曲部に指を引っ掛けたり、指で折曲部を押し込むことができ、機器本体１からの切替操作体１４の引っ張り出し、及び、機器本体１への切替操作体１４の嵌め込みを行い易くしている。
【００３２】
このような検知器では、出荷時等の使用前に、切替操作体１４をＯＦＦ姿勢とし、電源部２から検知部３への電力供給状態をＯＦＦ状態としておくことで、電源部２（電池）の消耗を抑制している。そして、検知器を使用する際に、切替操作体１４をＯＮ姿勢に切り替えることで、電源部２から検知部３への電力供給状態をＯＮ状態に切り替え、検知部３による検知動作を開始して監視モードが実行される。監視モードでは、流入口９から流入される空気中における煙やＣＯガス等の検知対象の存在状況を検知部３にて検知する検知動作が行われ、その検知対象の存在状況に応じてスピーカ部１１や表示部１２等にて警報を行い、操作部１３を操作することで、その警報が解除される。
【００３３】
検知器の使用中に、機器本体１に対して何らかの誤った操作等、想定外の操作が行われると、検知器を適切に使用できなくなる可能性がある。そこで、検知器の使用中に、機器本体１に対して想定外の操作が行われないように、図３に示すように、切替操作体１４のＯＮ姿勢が、機器本体１に対する規定外操作を害する姿勢に設定されている。
【００３４】
規定外操作とは、例えば、監視モードを行う上で、その監視モードの実行が阻害されるような操作等の想定外の操作が該当する。この実施形態では、電源部２に対する電池交換口２２を通じての操作を規定外操作としており、例えば、切替操作体１４がＯＮ姿勢のときには、電池交換口２２を通じて電源部２（電池）を交換するための操作を害することで、検知器の使用中に、誤って電源部２（電池）が交換されるのを防止している。
【００３５】
切替操作体１４のＯＮ姿勢は、図３に示すように、電池交換口２２を閉塞する蓋部２３の一部を覆う姿勢となっており、電池交換口２２からの蓋部２３の移動を制限する姿勢に設定されている。切替操作体１４の一部にて蓋部２３を覆うことで、その蓋部２３の機器本体１の外方側への移動を制限している。よって、切替操作体１４がＯＮ姿勢のときには、切替操作体１４によって蓋部２３が機器本体１から取り外し難い。これにより、使用者等に違和感を与えることができ、電源部２（電池）が誤って取り外されることなく、電源部２から検知部３への電力供給状態をＯＮ状態に維持して、監視モードを適切に実行でき、検知器本来の機能を適切に発揮することができる。
【００３６】
切替操作体１４は、図３〜図５に示すように、挿入部１６に対して当接壁部１７及び摘み部１８を機器本体１の上下方向の一方側に延長させた幅広形状に形成されている。この当接壁部１７及び摘み部１８は、図３及び図５の左側に示す状態のように、ＯＮ姿勢では機器本体１の上方側に延びる姿勢となり、図４及び図５の右側に示す状態のように、ＯＦＦ姿勢では機器本体１の下方側に延びる姿勢となっている。
【００３７】
切替操作体１４は、図３に示すように、ＯＮ姿勢のときに、機器本体１の上方側に延びる姿勢の当接壁部１７及び摘み部１８によって蓋部２３の一部を覆い、その蓋部２３の機器本体１の外方側への移動を制限している。このように、切替操作体１４自体が、機器本体１に対する規定外操作を害する阻害部材として構成されている。そして、切替操作体１４は、図４に示すように、ＯＦＦ姿勢のときに、当接壁部１７及び摘み部１８が機器本体１の下方側に延びる姿勢となり、蓋部２３を覆っていない。よって、切替操作体１４がＯＦＦ姿勢のときには、蓋部２３の引っ掛け部２３ｂに指を引っ掛けて機器本体１の外方側へ蓋部２３を移動させることで、蓋部２３を機器本体１から取り外して、電源部２（電池）を交換することができる。
【００３８】
また、切替操作体１４のＯＮ姿勢への操作忘れや操作間違いを防止するために、図４に示すように、切替操作体１４のＯＦＦ姿勢が、流入口９の少なくとも一部を切替操作体１４にて覆う姿勢に設定されている。切替操作体１４によって流入口９の一部を覆うことで、流入口９から流入される空気量が減少するので、検知部３での検知動作に悪影響を与える。このように、切替操作体１４のＯＦＦ姿勢が、電力供給状態がＯＮ状態時に実行される機器本体１の機能に影響を与える姿勢に設定されており、電力供給状態がＯＮ状態時に実行される監視モードの機能が害されている。
【００３９】
切替操作体１４がＯＦＦ姿勢であるときには、切替操作体１４によって流入口９が覆われているという違和感を使用者等に視覚的に与えることができ、使用者等は切替操作体１４がＯＦＦ姿勢であることを容易に認識できる。よって、使用者等は、切替操作体１４がＯＦＦ姿勢であると、ＯＮ姿勢への姿勢変更の操作を確実に行い、切替操作体１４の操作忘れや操作間違いを防止して、監視モードを適切に実行できる。
【００４０】
切替操作体１４のＯＮ姿勢とＯＦＦ姿勢の姿勢変更は、図２〜図４に示すように、切替操作体１４を前後反転させて装着部１５に切替操作体１４を嵌め込む操作が行われる。機器本体１の前後方向において流入口９が装着部１５の後方側（切替操作体１４の後方側）に配置されている。そこで、切替操作体１４は、当接壁部１７として、挿入部１６に対して交差姿勢で前方側に延びる第１当接壁部１７ａと、挿入部１６に対して交差姿勢で後方側に延びる第２当接壁部１７ｂとが備えられ、第１当接壁部１７ａが第２当接壁部１７ｂよりも機器本体１の前後方向での長さが長くなるように構成されている。
【００４１】
図４に示すように、ＯＦＦ姿勢では、長さの長い第１当接壁部１７ａが機器本体１の後方側に延びる姿勢となり、その第１当接壁部１７ａにて流入口９の一部を覆う。逆に、図３に示すように、ＯＮ姿勢では、長さの短い第２当接壁部１７ｂが機器本体１の後方側に延びる姿勢となり、その第２当接壁部１７ｂでは流入口９まで届かず、流入口９の全てを開放している。このように、第１当接壁部１７ａと第２当接壁部１７ｂとの長さを変えるという簡易な構成によって、構成の簡素化を図りながら、切替操作体１４のＯＮ姿勢への操作忘れや操作間違いを防止できる。
【００４２】
機器本体１の側面部（例えば、左側面部）には、図４に示すように、装着部１５の前方側にＯＦＦ状態を示す印２０（ＯＦＦの文字）が付され、切替操作体１４がＯＦＦ姿勢のときには、この印２０が外部に露出している。また、図３に示すように、切替操作体１４がＯＮ姿勢のときには、この印２０が当接壁部１７にて覆われて隠されている。このように、切替操作体１４がＯＦＦ姿勢のときのみ、印２０が外部から露出しており、切替操作体１４がＯＦＦ姿勢であることを使用者等が容易に認識できる。しかも、切替操作体１４における当接壁部１７の長さを異ならせることで、ＯＦＦ姿勢のときのみ外部に露出する部位に印２０を付しているので、この印２０を隠すための別部材を設ける必要もなく、部品点数の増大等の不都合を招くこともない。
【００４３】
〔別実施形態〕
（１）上記実施形態では、切替操作体１４のＯＮ姿勢が、電池交換口２２からの蓋部２３の移動を制限する姿勢に設定されているが、例えば、蓋部２３を備えずに、切替操作体１４がＯＮ姿勢であるときに、電池交換口２２の少なくとも一部を切替操作体１４の一部にて閉塞する姿勢に設定することもできる。また、例えば、電池交換口２２とは別に、検知部３に通じる開口部を設け、切替操作体１４がＯＮ姿勢であるときに、その開口部の少なくとも一部を切替操作体１４の一部にて閉塞する姿勢に設定することもできる。このように、切替操作体１４のＯＮ姿勢を、ケース内部に通じる開口部を通じての電源部２又は検知部３に対する操作を害する姿勢に設定することができる。
【００４４】
（２）上記実施形態では、規定外操作として、電源部２に対する電池交換口２２を通じての操作を例示したが、例えば、下記に例示するような機器本体１に対する各種の想定外の操作を規定外操作とすることもできる。
【００４５】
例えば、検知器の使用中に、使用者等が直接的に又は何らかの操作具を介して間接的に検知部３に触れると、検知部３の感度に悪影響を与え、監視モードを適切に実行できなくなる可能性が生じる。そこで、使用者等が直接的に又は間接的に検知部３に触れる操作を規定外操作とし、切替操作体１４のＯＮ姿勢を、例えば、機器本体１の内部への手指や操作具の侵入を防止する姿勢に設定することもできる。
【００４６】
また、検知器の使用中に、ケース７からカバー８が取り外され、機器本体１に内蔵された各種の機器や部材が触られると、監視モードを適切に実行できなくなる可能性が生じる。そこで、検知器の使用中にケース７からカバー８を取り外す操作を規定外操作とし、切替操作体１４のＯＮ姿勢を、カバー８の取り外しを害する姿勢に設定することもできる。
【００４７】
ここで、検知器は、家庭用の警報器として用いるだけでなく、例えば、工業用の検知器等、各種の検知器として用いることができる。例えば、監視モードの実行中における履歴データや検知データ等の各種のデータを記憶部に記憶しているような工業用の検知器では、監視モードの実行中にリセットスイッチが操作されると、記憶部に記憶しているデータがリセットされてしまう。そこで、監視モードの実行中におけるリセットスイッチの操作を規定外操作とし、切替操作体１４のＯＮ姿勢を、リセットスイッチの操作を害する姿勢に設定することもできる。
【００４８】
また、例えば、使用しないときには容器に収容して保管、又は充電器等に接続して載置する可搬型の検知器では、切替操作体１４をＯＦＦ姿勢とし電力供給状態をＯＦＦ状態として、容器や充電器等に検知器を収容することで、電源部２や検知部３等の消耗を抑制している。そこで、電力供給状態がＯＮ状態のまま容器や充電器等に検知器が収容される操作を規定外操作とし、切替操作体１４のＯＮ姿勢を、容器や充電器等に検知器を収容する際に検知器を接続するコネクタを覆う姿勢に設定することで、コネクタへの検知器の接続を阻害して、電力供給状態がＯＮ状態のまま容器や充電器等に検知器が収容されるのを防止できる。
【００４９】
（３）上記実施形態では、切替操作体１４がＯＮ姿勢のときに、切替操作体１４自体によって蓋部２３の一部を覆うようにしているが、切替操作体１４とは別の被覆部材によって蓋部２３の一部を覆うことができる。例えば、切替操作体１４がＯＮ姿勢のときには被覆部材が機器本体１の外面部に突出移動し、切替操作体１４がＯＦＦ姿勢のときには被覆部材が機器本体１の内方側に引退移動することで、蓋部２３の一部を被覆部材にて覆うことができる。
【００５０】
そして、上記（２）にて述べた如く、切替操作体１４のＯＮ姿勢を機器本体１に対する各種の規定外操作を害する姿勢に設定する場合でも、上述の如く、切替操作体１４とは別の阻害部材によって規定害操作を害するようにできる。
【００５１】
（４）上記実施形態において、切替操作体１４を機器本体１に対して着脱自在に備えなくてもよい。例えば、切替操作体１４を、ロック位置とロック解除位置とに回転操作自在とし、ロック解除位置に回転操作した状態で機器本体１の内方側の第１位置と外方側の第２位置とに移動自在とすることもできる。この場合、第１位置においてロック位置に回転操作されるとＯＮ姿勢となり、第２位置においてロック位置に回転操作されるとＯＦＦ姿勢となる。
【００５２】
また、切替操作体１４を機器本体１に対して着脱自在にしない別の例としては、切替操作体１４を機器本体１の外方に少し引っ張り出した位置で、ＯＮ姿勢とＯＦＦ姿勢に回転操作自在とし、いずれかの姿勢を選択して、切替操作体１４を機器本体１の内方に向けて押し込むことで、ＯＮ姿勢とＯＦＦ姿勢とを切り替えるようにしてもよい。
【００５３】
（５）上記実施形態において、切替操作体１４の配設位置については、左側面側としているが、右側面側、上側面側、又は、下側面側のいずれでもよい。また、機器本体１の形状も直方体状に限るものではなく、各種の形状に適宜変更できることから、その変更された機器本体１の形状に合わせて切替操作体１４の配設位置も変更することができる。
【００５４】
（６）上記実施形態において、例えば、当接壁部１７として第１当接壁部１７ａのみを備えたＴ字状に切替操作体１４を形成する等、切替操作体１４の形状は適宜変更することができる。また、切替操作体１４のＯＦＦ姿勢を、流入口９の一部を覆う姿勢としなくてもよく、切替操作体１４のＯＦＦ姿勢は適宜変更が可能である。
【００５５】
（７）上記実施形態では、電池交換口２２の蓋部２３を取り外す際に、蓋部２３を機器本体１の外方側に移動させているので、その移動を制限すべく、切替操作体１４にて蓋部２３を覆うようにしている。例えば、機器本体１に対するスライド移動によって蓋部２３を取り外す場合には、その蓋部２３のスライド移動を阻害すればよく、電池交換口２２からの蓋部２３の移動を制限するものであればよい。
【００５６】
（８）上記実施形態では、装着部１５の前方側にＯＦＦ状態を示す印２０（ＯＦＦの文字）が付されているが、印としては、ＯＦＦ状態であることが分かるものであればよく、例えばＯＦＦを示す記号や色を塗布する等してもよい。
【００５７】
（９）上記実施形態では、電源部２として電池を例示しているが、ＡＣ電源等の外部電源を用いる検知器にも適用可能である。
【００５８】
（１０）上記実施形態では、ＯＮ姿勢において切替操作体１４の当接壁部１７が蓋部２３に沿う姿勢となっているが、例えば、当接壁部１７を蓋部２３に対して所定の角度を有する傾斜姿勢としてもよく、当接壁部１７の姿勢は蓋部２３の一部を覆う姿勢であればよい。
【符号の説明】
【００５９】
１          機器本体
２          電源部（電池）
３          検知部
７          ケース
１４        切替操作体
２２        電源交換口（電池交換口）
２３        蓋部
【図１】
0006557015.tif 000002
【図２】
0006557015.tif 000003
【図３】
0006557015.tif 000004
【図４】
0006557015.tif 000005
【図５】
0006557015.tif 000006